(57)【要約】【課題】  表示装置の消費電力を節減する。【解決手段】  赤色、緑色、青色、白色の発光色を有する画素が水平方向に隣接して配置され、各画素には有機ＥＬ素子を駆動する駆動トランジスタ１１０および有機ＥＬ素子の駆動によって発光する、各色の発光領域１１８が含まれる。発光領域１１８の発光に係る発光効率が低い色の、駆動トランジスタ１１０のゲート長１２０を短く設定することにより、駆動トランジスタ１１０のピンチ・オフ点を低電圧側にシフトさせ、発光領域１１８の面積を大きくすることにより有機ＥＬ素子の駆動に要する電圧を低くする。【選択図】  図３
2006189475.tif 000002
【特許請求の範囲】
【請求項１】
電力の供給を受けて発光し、各画素にそれぞれの色を表示する複数の自発光素子と、
前記複数の自発光素子にそれぞれ接続され、前記自発光素子への電力供給を制御する複数の電力駆動素子と、を備え、
いずれかの色を表示する画素における、前記電力駆動素子の駆動能力および発光領域の面積が、他の色を表示する画素における、前記電力駆動素子の駆動能力および発光領域の面積と異なることを特徴とする表示装置。
【請求項２】
前記複数の自発光素子の少なくとも一部には、当該自発光素子の発光色を所望の色へ変換するカラーフィルタ層がその上部に形成されていることを特徴とする請求項１に記載の表示装置。
【請求項３】
前記電力駆動素子の駆動能力および発光領域の面積は、当該画素における自発光素子の実質的な発光効率に依存して定められることを特徴とする請求項１または２に記載の表示装置。
【請求項４】
画素に表示される色のうち、自発光素子の実質的な発光効率が低い色の順に、その画素における前記電力駆動素子の駆動能力および発光領域の面積が大きく定められることを特徴とする請求項３に記載の表示装置。
【請求項５】
自発光素子の実質的な発光効率が最も低い色を表示する画素は、他の色を表示する画素と比較して、最も大きい前記電力駆動素子の駆動能力および発光領域の面積を有するように定められていることを特徴とする請求項３に記載の表示装置。
【請求項６】
前記電力駆動素子の駆動能力および発光領域の面積は、当該画素に表示する色の所望の色度、および当該表示装置が表示する白色の所望の色度の少なくともいずれかに依存して定められることを特徴とする請求項１から５のいずれかに記載の表示装置。
【請求項７】
前記電力駆動素子はＴＦＴ（Ｔｈｉｎ  Ｆｉｌｍ  Ｔｒａｎｓｉｓｔｏｒ）素子であり、
前記ＴＦＴ素子のゲート長を小さくすることによって前記駆動能力を大きくし、少なくとも前記ゲート長を小さくすることによって発生した前記ＴＦＴ素子の縮小領域に、前記発光領域を拡張させることによって、当該発光領域の面積を大きくすることを特徴とする請求項１から６のいずれかに記載の表示装置。
【請求項８】
請求項１から７のいずれかに記載の表示装置と、当該表示装置を制御する制御部とを備え、この制御部により、ユーザが所望する処理を適宜前記表示装置による表示を交えながら実行することを特徴とする電子情報機器。
【発明の詳細な説明】
【技術分野】
【０００１】
本発明は、表示装置に関し、特に複数の画素より構成される表示装置に関するものである。
【背景技術】
【０００２】
近年、有機エレクトロルミネッセンス（以下、「有機ＥＬ」とよぶ）表示装置の開発が進んでおり、例えば携帯電話機に有機ＥＬ表示装置を採用することが検討されている。有機ＥＬ表示装置の駆動方式には、走査電極とデータ電極を用いて時分割駆動するパッシブマトリクス駆動方式と、各画素にＴＦＴ（Ｔｈｉｎ  Ｆｉｌｍ  Ｔｒａｎｓｉｓｔｏｒ）を配置して、各画素の発光を1垂直走査期間に亘って維持するアクティブマトリクス駆動方式とがある。
【０００３】
有機ＥＬ表示装置では、構成材料の違いから各色の有機ＥＬ素子の発光効率が異なることが知られている。そのため、各画素の発光領域の面積が同じとき、発光効率の低い画素において所定の輝度を得るためには、発光効率の高い画素よりも大きな電流を流さなければならない。そのため当該画素を構成する回路の寿命が短くなり、結果的には表示装置全体の寿命も短くなってしまうという問題があった。
【０００４】
そこで各色の画素の発光領域の面積を、有機ＥＬ素子の発光効率によって異ならせることにより、長寿命化を図る方法が提案されている（例えば特許文献１参照）。また、有機ＥＬ素子駆動用ＴＦＴのゲート幅Ｗおよびゲート長Ｌの比を、当該有機ＥＬ素子の発光効率によって異ならせ、必要とする映像信号の電圧範囲を全ての色で共通化することにより、色による映像信号の調整に要するコストを軽減する技術が提案されている（例えば特許文献２参照）。
【特許文献１】特開２００１−２９０４４１号公報
【特許文献２】特開２００３−１０８０３３号公報
【発明の開示】
【発明が解決しようとする課題】
【０００５】
特に有機ＥＬ表示装置を携帯機器に適用する場合、消費電力の低減は重要な課題のひとつである。しかしながら、従来の有機ＥＬ表示装置においては、消費電力低減効果が不十分であることに、本発明者は想到した。
【０００６】
本発明は上記事情を踏まえてなされたものであり、その目的は、消費電力を効果的に節減することのできる、表示装置および電子情報機器を提供することにある。
【課題を解決するための手段】
【０００７】
本発明のある態様は表示装置に関する。この表示装置は、電力の供給を受けて発光し、各画素にそれぞれの色を表示する複数の自発光素子と、前記複数の自発光素子にそれぞれ接続され、自発光素子への電力供給を制御する複数の電力駆動素子とを備え、いずれかの色を表示する画素における、電力駆動素子の駆動能力および発光領域の面積が、他の色を表示する画素における、電力駆動素子の駆動能力および発光領域の面積と異なることを特徴とする。
【０００８】
ここで電力駆動素子の駆動能力および発光領域の面積は、当該画素における自発光素子の実質的な発光効率に依存して設定してよい。このとき「実質的な発光効率」とは、自発光素子自体の発光効率でもよいし、その上部に形成したカラーフィルタ層などを透過する光を考慮した発光効率でもよい。
【０００９】
これにより、画素に所望の輝度の色表示を行うために、従来高い供給電力を要していた発光色を有する自発光素子を、低い供給電力量によって効率的に駆動することができる。
【００１０】
なお、以上の構成要素の任意の組合せ、本発明の表現を他のカテゴリーに変換したものもまた、本発明の態様として有効である。
【発明の効果】
【００１１】
本発明によれば、表示装置の消費電力を節減することができる。
【発明を実施するための最良の形態】
【００１２】
（第一の実施の形態）
図１は、第一の実施の形態における有機ＥＬ表示装置に含まれる画素領域およびその周辺の基本構成を示す。有機ＥＬ表示装置１０は、点順次駆動方式のアクティブマトリクス型表示装置である。有機ＥＬ表示装置１０において、複数の選択信号線と複数のデータ信号線が交差状に配置され、その交差位置に画素が設けられることによって画素領域６０に複数の画素が行列状に配置される。複数の画素はそれぞれ有機ＥＬ素子を含み、選択信号線を介した選択制御回路３０による制御と、データ信号線を介したデータ制御回路３２による制御に基づいて発光する。
【００１３】
選択制御回路３０は、輝度信号の入力制御対象となる画素を行単位で選択する。本実施の形態における選択制御回路３０は、画素の行である水平画素ラインを選択するための選択信号を上部の行から下部の行へ順次送ることにより、複数の水平画素ラインを走査する。選択信号は、各水平画素ラインに含まれる各画素に対してそれぞれ選択信号線を介して入力される。
【００１４】
データ制御回路３２は、選択制御回路３０によって選択された水平画素ラインに含まれる各画素に順次映像信号を入力する。映像信号は、各画素に対してそれぞれデータ信号線を介して入力される。同図においては一つの水平画素ライン上に第１画素Ａから第１０画素Ｊまでの画素が配置されているが、本実施の形態における画素の数はこれに限られるものではない。
【００１５】
外部駆動回路４２は、インターフェイス４０および垂直駆動信号線３４を介して選択制御回路３０に垂直駆動信号を入力する。外部駆動回路４２は、インターフェイス４０および水平駆動信号線３６を介してデータ制御回路３２に水平駆動信号を入力し、インターフェイス４０および映像信号線３８を介してデータ制御回路３２に映像信号を入力する。映像信号には、各画素に入力すべき複数色の輝度信号が含まれる。
【００１６】
図２は、本実施の形態の有機ＥＬ表示装置１０における１画素分の等価回路の例を示す図である。各画素は、ソース電極をデータ信号線１０４に、ゲート電極を選択信号線１０２に接続した、例えばＮチャネル型の書き込みトランジスタ１０６、ソース電極を電源線１０８に、ゲート電極を書き込みトランジスタ１０６のドレイン電極に接続した、例えばＰチャネル型の駆動トランジスタ１１０、アノード電極を駆動トランジスタ１１０のドレイン電極に接続し、カソード電極を接地した有機ＥＬ素子１１２、駆動トランジスタ１１０のゲート電極と保持容量線１１４との間に設けられた保持容量１１６とを含む。書き込みトランジスタ１０６は選択信号線１０２の選択信号の印加に応じて導通状態となり、データ信号線１０４からの映像信号電圧によって保持容量１１６が充電されるとともに、駆動トランジスタ１１０のゲート電極が対応する電位となる。これにより、有機ＥＬ素子１１２に電源線１０８から電力が供給される。
【００１７】
図３は、本実施の形態における有機ＥＬ表示装置１０の基礎単位の画素の配列を示す図である。同図のごとく本実施の形態では、赤色、緑色、青色、白色の発光色を有する画素が水平方向に隣接して配置される。図２の等価回路に示したとおり各画素には、選択信号線１０２、データ信号線１０４、電源線１０８、保持容量線１１４、書き込みトランジスタ１０６、駆動トランジスタ１１０、保持容量１１６が含まれ、有機ＥＬ素子１１２の駆動によって発光する、各色の発光領域１１８が含まれる。同図では図の見やすさのために、赤色の画素にのみ符号を記載しているが、他の色の画素も同様の構成である。
【００１８】
発光領域１１８において、赤色、緑色、青色の３色は、白色の発光色を有する有機ＥＬ発光層による発光を、それぞれ赤色、緑色、青色のカラーフィルタで色変換することによって得られる。図４は本実施の形態における発光色の取得方法について説明するために発光領域１１８の断面を模式的に示した図である。同図に示すとおり、本実施の形態では白色の発光色を有する有機ＥＬ発光層１３０の上部に赤色、緑色、青色のカラーフィルタ層１３２を形成することにより、透過光を赤色、緑色、青色として各画素に表示する。白色は有機ＥＬ発光層１３０からの発光をそのまま表示する。このようにして得られた４色を用いてフルカラー表示を行う。ここで、白色の発光色を有する有機ＥＬ発光層１３０は、例えば青色の発光色を有する発光層およびオレンジ色の発光色を有する発光層との積層構造から成る。
【００１９】
このような構造においては、青色の発光効率が他の色と比較して低くなる。そのため、ホワイト・バランスを考慮すると青色の画素に必要な電流が最も大きくなる。そこで本実施の形態では図３に示すように、青色を表示する画素における駆動トランジスタ１１０のゲート長１２０Ｂを他の色の画素における駆動トランジスタ１１０のゲート長１２０Ｒ、１２０Ｂおよび１２０Ｗより小さくし、さらに青色の発光領域１１８の面積を他の色の発光領域１１８の面積より大きく構成することにより、所望の輝度およびホワイト・バランスを有する青色の表示に必要な電力量を軽減する。以下にその動作原理を述べる。
【００２０】
画素部分で消費される電力は、電源線１０８と、有機ＥＬ素子１１２のカソード電極との間の電位差および、有機ＥＬ素子１１２に流れる電流Ｉｅｌによって決定する。図５は駆動トランジスタ１１０の電圧―電流特性１４０と、有機ＥＬ素子１１２の電圧―電流特性１４２を示した図である。同図のとおり、電源線１０８と、有機ＥＬ素子１１２のカソード電極との間の電位差Ｖｔｏｔは、駆動トランジスタ１１０のソース・ドレイン間の電圧Ｖｄｓと、有機ＥＬ素子１１２のアノード・カソード電極間の電圧Ｖｅｌとに分けられる。また、駆動トランジスタ１１０の電圧―電流特性１４０および当該駆動トランジスタ１１０のピンチ・オフ曲線１４４の交点、すなわちピンチ・オフ点１４６と、駆動トランジスタ１１０の電圧―電流特性１４０および有機ＥＬ素子１１２の電圧―電流特性１４２の交点、すなわち動作点１４８との間の電位差が、有機ＥＬ表示装置１０の動作マージンである。
【００２１】
図６は、ゲート長１２０を小さくすることによる駆動トランジスタ１１０の電圧―電流特性１４０の変化を示した図である。駆動トランジスタ１１０のゲート幅を一定としてゲート長１２０を小さくすると、同図のとおり、駆動トランジスタ１１０の電圧―電流特性は１４０ａより１４０ｂへ、ピンチ・オフ曲線は１４４ａより１４４ｂへと移行する。これにともないピンチ・オフ点が１４６ａから１４６ｂへと△Ｖｄｓだけ低電圧側へシフトする。これにより、駆動トランジスタ１１０のソース・ドレイン間の電圧Ｖｄｓを△Ｖｄｓ小さくすることができる。したがって、動作マージンを一定とすると、電源線１０８と、有機ＥＬ素子１１２のカソード電極との間の電位差Ｖｔｏｔを△Ｖｄｓだけ低く設定できるため、当該画素の消費電力を軽減できる。
【００２２】
図７は、発光領域１１８の面積を大きくすることによる有機ＥＬ素子１１２の電圧―電流特性１４２の変化を示した図である。同図のとおり発光領域１１８の面積が小さい場合の電圧―電流特性１４２ａと比較し、発光領域１１８の面積が大きい場合の電圧―電流特性１４２ｂは、有機ＥＬ素子１１２に流れる電流の傾きが、有機ＥＬ素子１１２のアノード電極・カソード電極間の電圧Ｖｅｌに対して大きくなるため、より低い電圧Ｖｅｌで所望の電流Ｉｅｌを得ることができる。したがって、動作マージンを一定とすると、電源線１０８と、有機ＥＬ素子１１２のカソード電極との間の電位差Ｖｔｏｔを、Ｖｅｌの差分、△Ｖｅｌだけさらに低く設定することができる。
【００２３】
結果として、発光効率が低いために元来は電力消費量の大きかった青色の画素において、Ｖｔｏｔを△Ｖｄｓ＋△Ｖｅｌ分低く設定することができ、全体として消費電力を節減して所望のホワイト・バランスおよび輝度を取得することができる。
【００２４】
本実施の形態では、ゲート長１２０Ｂを小さくすることによって駆動トランジスタ１１０の面積が小さくなる分、同時に発光領域１１８の面積を大きくすることができるため、発光効率の低い画素の全体的な面積を大幅に変更することなく、相乗的に消費電力の節減効果を得ることができる。これにより、設計ルールの違いによる回路の加工上の困難を新たに発生させることなく、消費電力を抑制することができる。
【００２５】
さらに従来は、発光効率の差に起因して、所望とする輝度の発光に必要な駆動電流が色によって異なり、駆動トランジスタ１１０のゲート電極に印加すべき映像信号の振幅に差があったため、映像信号生成用ＩＣによる調整が必要であったが、本実施の形態により発光効率の低い画素に対する映像信号の振幅が他の色に近くなり、映像信号生成用ＩＣの負荷が軽減される。
【００２６】
また、発光効率の低い画素の発光領域１１８の面積を大きくすることによって、当該画素の電流密度が小さくなり、局所的な有機ＥＬ素子１１２の劣化が抑制され、有機ＥＬ表示装置１０全体の寿命を長くする効果を得ることができる。
【００２７】
ここでは青色の画素のみ、駆動トランジスタ１１０のゲート長１２０Ｂおよび発光領域１１８の面積を異ならせたが、各色の発光効率に応じてそれ以外の色についても適宜、調整を行ってよい。
【００２８】
（第二の実施の形態）
本実施の形態における各画素の基礎構成および消費電力節減機構は、第一の実施の形態と同様である。ここでは、第一の実施の形態と異なる点について主に説明する。
【００２９】
図８は本実施の形態における発光色の取得方法について説明するために発光領域１１８の断面を模式的に示した図である。第一の実施の形態と同様、有機ＥＬ発光層１３０のうち、白色の発光色を有する部分の発光層は、青色の発光色を有する発光層とオレンジ色の発光色を有する発光層との積層構造によって構成される。本実施の形態ではその構造を利用し、有機ＥＬ発光層１３０の一部をオレンジ色の発光色を有する発光層を積層しない構造とし、青色の発光色を有する発光層とする。したがって青色は、当該青色の発光色を有する有機ＥＬ発光層１３０からの青色光をそのまま表示する。赤色、緑色の２色は、白色の発光色を有する有機ＥＬ発光層１３０からの白色光を上部に形成された赤色、緑色のカラーフィルタ層１３２で色変換して表示する。白色は有機ＥＬ発光層１３０からの白色光をそのまま表示する。
【００３０】
この構成では、第一の実施の形態と比較して、青色の画素の発光効率が向上する一方、他の色と比較して赤色の画素の発光効率が低くなる。したがって、本実施の形態における有機ＥＬ表示装置１０では、図９に示すとおり、赤色を表示する画素における駆動トランジスタ１１０のゲート長１２０Ｒを他の色の画素より小さくし、発光領域１１８の面積を他の色より大きく構成する。
【００３１】
図８において青色を表示する画素は、青色の発光色を有する有機ＥＬ発光層１３０からの青色光をそのまま表示させたが、上部にカラーフィルタを形成することによって、色純度を向上させる構成としてもよい。また、各色の発光効率に応じて赤色以外の色についても、駆動トランジスタ１１０のゲート長１２０や発光領域１１８の面積の調整を行ってよい。
【００３２】
このように、表示機構を工夫しながら、結果的に得られる実質的な発光効率に応じて駆動トランジスタ１１０のゲート長１２０や、発光領域１１８の面積を設定することによって、より容易な形成手法で、消費電力の低い表示装置を製造することができる。また、映像信号生成用ＩＣの負荷の軽減効果、表示装置の長寿命化効果についても、第一の実施の形態と同様に得ることができる。
【００３３】
（第三の実施の形態）
本実施の形態における各画素の基礎構成および消費電力節減機構も、第一の実施の形態と同様であるため、ここでは第一の実施の形態と異なる点について主に説明する。
【００３４】
図１０は本実施の形態における発光色の取得方法について説明するために発光領域１１８の断面を模式的に示した図である。第一の実施の形態と同様、有機ＥＬ発光層１３０のうち白色の発光色を有する部分は、青色の発光色を有する発光層とオレンジ色の発光色を有する発光層との積層構造により構成される。本実施の形態ではその構造を利用し、有機ＥＬ発光層１３０の一部を青色の発光色を有する発光層を積層しない構造とし、オレンジ色の発光色を有する発光層とする。そして赤色の表示は、オレンジ色の発光色を有する有機ＥＬ発光層１３０からのオレンジ色光を赤色のカラーフィルタ層１３２によって色変換して得る。青色、緑色の２色は白色の発光色を有する有機ＥＬ発光層１３０からの白色光を、上部に形成された青色、緑色のカラーフィルタ層１３２でそれぞれ色変換して表示する。白色は有機ＥＬ発光層１３０からの白色光をそのまま表示する。
【００３５】
この場合、第一の実施の形態と同様、青色の画素の発光効率が他の色と比較して低くなる。したがって、本実施の形態における有機ＥＬ表示装置１０では、図３に示したとおり、青色を表示する画素における駆動トランジスタ１１０のゲート長１２０Ｂを他の色の画素より小さくし、発光領域１１８の面積を他の色より大きく構成する。
【００３６】
これにより、第一の実施の形態と同様、発光効率の低い青色を表示する画素の消費電力を効果的に節減することができ、表示装置全体の消費電力量を抑えることができるとともに、映像信号生成用ＩＣの負荷の軽減効果、表示装置の長寿命化効果を得ることができる。
【００３７】
ここでは青色の画素のみ、駆動トランジスタ１１０のゲート長１２０Ｂおよび発光領域１１８の面積を異ならせたが、各色の発光効率に応じてそれ以外の色についても調整を行ってよい。
【００３８】
（第四の実施の形態）
本実施の形態における各画素の基礎構成および消費電力節減機構も、第一の実施の形態と同様であるため、ここでは第一の実施の形態と異なる点について主に説明する。
【００３９】
図１１は、本実施の形態における有機ＥＬ表示装置１０の基礎単位の画素の配列を示す図である。同図のごとく本実施の形態では、青色、赤色、緑色の発光色を有する画素が水平方向に隣接して配置される。各色は、それぞれの色を発光色とする有機ＥＬ発光層１３０からの発光をそのまま表示する。有機ＥＬ発光層１３０の発光効率は各色で異なるため、図１１に示すように、発光効率の低い順に、青色、赤色、緑色の画素の駆動トランジスタ１１０のゲート長１２０Ｂ、１２０Ｒ、および１２０Ｇをこの順に小さくし、発光領域１１８の面積を青色、赤色、緑色の順に大きくする。
【００４０】
これにより、第一の実施の形態で説明したのと同様の機構により、発光効率の低い表示色の画素の消費電力をより軽減させることができ、表示装置全体として効率的に消費電力量を抑制することができる。また映像信号生成用ＩＣの負荷の軽減効果、表示装置の長寿命化効果も同様に得ることができる。
【００４１】
ここで青色、赤色、緑色の３色は、白色の発光色を有する有機ＥＬ発光層１３０からの白色光を青色、赤色、緑色のカラーフィルタ層１３２によってそれぞれ色変換することによって表示させる構成としてもよい。
【００４２】
（第五の実施の形態）
本実施の形態における各画素の基礎構成および消費電力節減機構は、第一の実施の形態と同様である。ここでは、第一の実施の形態と異なる点について主に説明する。
【００４３】
図１２は、本実施の形態における有機ＥＬ表示装置１０の基礎単位の画素の配列を示す図である。各色の発光色を有する画素の配置は第一の実施の形態と同様であり、発光領域１１８の断面構成も第一の実施の形態と同じである。本実施の形態の、第一の実施の形態との相違点は、発光領域１１８自体の幅を変化させないことにある。
【００４４】
第一の実施の形態では青色を表示する画素における駆動トランジスタ１１０のゲート長１２０Ｂを他の色の画素における駆動トランジスタ１１０のゲート長１２０Ｒ、１２０Ｂおよび１２０Ｗより小さくするとともに、青色の発光領域１１８の面積の幅を他の色の発光領域１１８の幅より大きくすることによって面積の差異を顕著にしていた。このとき青色の発光領域１１８は、駆動トランジスタ１１０のゲート長１２０Ｂを短く形成したことによって発生した領域の面積と、発光領域１１８自体の幅を広げたことによって増加した面積との合計分だけ、他の色より面積が大きくなっていることになる。一方、本実施の形態においては、発光領域１１８の幅は全ての発光色について均等とし、青色を表示する画素における駆動トランジスタ１１０のゲート長１２０Ｂを小さくすることによって発生した領域１５０まで発光領域１１８を拡張することのみによって、他の色の発光領域１１８よりその面積を大きくする。
【００４５】
これにより、データ信号線１０４や電源線１０８のピッチが全ての色において均一になり、発光領域１１８形成時のマスク形状を色によって変化させる以外は、回路形成に影響を与えないため、容易で低コストに消費電力の節減効果を得ることができるとともに、映像信号生成用ＩＣの負荷の軽減効果、表示装置の長寿命化効果を得ることができる。
【００４６】
（実施例）
図１３は第一の実施の形態と発光領域１１８の断面形状が等しいときに、青色を表示する画素における駆動トランジスタ１１０のゲート長１２０Ｂおよび発光領域１１８を変化させたときの消費電力の節減効果を示したグラフである。同図は、全ての色において駆動トランジスタ１１０のゲート長１２０および発光領域１１８を均一に形成した場合と比較し、消費電力の減少量を示している。全ての条件において、全色の発光面積の合計は同一としている。各条件は、（１）ゲート長１２０Ｂのみ、他の色の１／２とした場合、（２）ゲート長１２０Ｂを他の色の１／２とし、発生した領域１５０にのみ発光領域１１８を拡張した場合、（３）ゲート長１２０Ｂを変化させず、発光領域１１８を他の色の２倍とした場合、（４）ゲート長１２０Ｂを他の色の１／２とし、発生した領域１５０に発光領域１１８を拡張し、かつ発光領域１１８を他の色の２倍とした場合、である。
【００４７】
この結果より、本実施の形態に示された条件２および条件４は、顕著な消費電力節減効果をもたらすことがわかる。条件２に対応する第五の実施の形態においても、画素内の領域を有効に活用することにより、面積への影響を最小限に容易に消費電力が節減できる。
【００４８】
以上、本発明を実施の形態をもとに説明した。上記実施の形態は例示であり、それらの各構成要素などの組合せにいろいろな変形例が可能なこと、またそうした変形例も本発明の範囲にあることは当業者に理解されるところである。
【００４９】
例えば上述の実施の形態では駆動トランジスタ１１０の電流駆動能力を、ゲート幅を一定としてゲート長を小さくすることにより向上させたが、ゲート幅を大きくするなどの手法やそれらの組み合わせによって達成してよい。この場合も、電流駆動能力を大きくすることにより駆動トランジスタ１１０のピンチ・オフ点を低電圧側にシフトさせ、ソース・ドレイン間の電圧を小さくでき、消費電力を節減することができる。
【００５０】
また、各画素の電流駆動能力や発光領域の面積は、発光効率の大小のみならず、所望のホワイト・バランスや各色の色度などを考慮し、消費電力と表示状態とから総合的に良好な値を設定してよい。これにより、画像品質を低下させることなく消費電力の節減が可能となる。
【００５１】
また、本実施の形態では自発光素子として有機ＥＬ素子を例に説明したが、無機ＥＬ素子などの自発光素子によって表示装置を構成しても、本実施の形態で説明したのと同様の作用、効果を得ることができる。
【図面の簡単な説明】
【００５２】
【図１】第一の実施の形態における表示装置に含まれる画素領域およびその周辺の基本構成を示す図である。
【図２】第一の実施の形態の表示装置における１画素分の等価回路の例を示す図である。
【図３】第一の実施の形態の表示装置における、基礎単位の画素の配列を示す図である。
【図４】第一の実施の形態の表示装置における発光色の取得方法について説明するために発光領域の断面を模式的に示した図である。
【図５】一般的な駆動トランジスタの電圧―電流特性と、有機ＥＬ素子の電圧―電流特性を示した図である。
【図６】ゲート長を小さくすることによる駆動トランジスタの電圧―電流特性の変化を示した図である。
【図７】発光領域の面積を大きくすることによる有機ＥＬ素子の電圧―電流特性の変化を示した図である。
【図８】第二の実施の形態の表示装置における発光色の取得方法について説明するために発光領域の断面を模式的に示した図である。
【図９】第二の実施の形態の表示装置における、基礎単位の画素の配列を示す図である。
【図１０】第三の実施の形態の表示装置における発光色の取得方法について説明するために発光領域の断面を模式的に示した図である。
【図１１】第四の実施の形態の表示装置における、基礎単位の画素の配列を示す図である。
【図１２】第五の実施の形態の表示装置における、基礎単位の画素の配列を示す図である。
【図１３】本実施の形態における消費電力の節減効果を示す図である。
【符号の説明】
【００５３】
１０  有機ＥＬ表示装置、  １０２  選択信号線、  １０４  データ信号線、  １０６  書き込みトランジスタ、  １０８  電源線、  １１０  駆動トランジスタ、  １１２  有機ＥＬ素子、  １１４  保持容量線、  １１６  保持容量、  １１８  発光領域、  １２０  ゲート長、  １３０  有機ＥＬ発光層、  １３２  カラーフィルタ層、  １５０  発生した領域。
【図１】
2006189475.tif 000003
【図２】
2006189475.tif 000004
【図３】
2006189475.tif 000005
【図４】
2006189475.tif 000006
【図５】
2006189475.tif 000007
【図６】
2006189475.tif 000008
【図７】
2006189475.tif 000009
【図８】
2006189475.tif 000010
【図９】
2006189475.tif 000011
【図１０】
2006189475.tif 000012
【図１１】
2006189475.tif 000013
【図１２】
2006189475.tif 000014
【図１３】
2006189475.tif 000015